(57)【要約】【課題】  棚部材を部屋の壁に極力近接して配置でき得ると同時に、上下方向に複数段に亘って棚部材を配置できて、ペット用遊戯装置の設置スペースが極力小さくなるようにする。【解決手段】  左右一対の前後脚体を有する設置枠と、設置枠の後部に立設された起立枠とを備え、起立枠は、左右に離間した複数の支柱を有し、起立枠に棚部材が前方突出するように取り付けられたペット用遊戯装置であって、  棚部材に隣合う支柱を挟持する挟持機構が設けられ、挟持機構が隣合う支柱を挟持することによって、棚部材は隣合う支柱間から前方突出するように支持され、棚部材の後部に、少なくとも隣合う支柱間に突出する後棚部が形成されている。【選択図】図４
2010166869.tif 000002
【特許請求の範囲】
【請求項１】
左右一対の前後脚体（２）を有する設置枠（３）と、設置枠（３）の後部に立設された起立枠（４）とを備え、起立枠（４）は、左右に離間した複数の支柱（１１）を有し、起立枠（４）に棚部材（１３）が前方突出するように取り付けられたペット用遊戯装置であって、
棚部材（１３）に隣合う支柱（１１）を挟持する挟持機構（３１）が設けられ、挟持機構（３１）が隣合う支柱（１１）を挟持することによって、棚部材（１３）は隣合う支柱（１１）間から前方突出するように支持され、棚部材（１３）の後部に、少なくとも隣合う支柱（１１）間に突出する後棚部（１３ａ）が形成されていることを特徴とするペット用遊戯装置。
【請求項２】
前記設置枠（３）の前後脚体（２）の後部は、起立枠（４）の複数の支柱（１１）よりも後方に突出され、棚部材（１３）の後棚部（１３ａ）は隣合う支柱（１１）間から後方に突出されて、棚部材（１３）の支柱（１１）後端からの後方突出長さが、左右一対の前後脚体（２）の支柱（１１）後端からの後方突出長さと略同一になるように設定されていることを特徴とする請求項１に記載のペット用遊戯装置。
【請求項３】
前記挟持機構（３１）は、隣合う支柱（１１）を前後に挟持する前挟持体（３２）と後挟持体（３３）と備えると共に、前挟持体（３２）に対して後挟持体（３３）を締め付け固定する締結具（３４）を備え、
棚部材（１３）の下面に前挟持体（３２）が固着され、前挟持体（３２）と後挟持体（３３）との左右両端部で隣合う支柱（１１）を前後に挟持するように、後挟持体（３３）が前挟持体（３２）に対して締結具（３４）により締め付けられていることを特徴とする請求項１又は２に記載のペット用遊戯装置。
【請求項４】
前記起立枠（４）は、複数段の起立枠構成部材（１５）を上下に連結してなり、各起立枠構成部材（１５）は、前記起立枠（４）の複数の支柱（１１）を構成する、複数の支柱構成体（１６）と、複数の支柱構成体（１６）の上端部間を連結する上連結体（１７）と、複数の支柱構成体（１６）の下端部間を連結する下連結体（１８）とを有し、複数の支柱構成体（１６）の中途部間に横連結杆（１２）が連結されていることを特徴とする請求項１〜３のいずれかに記載のペット用遊戯装置。
【請求項５】
前記起立枠（４）の上端部の左右両側に、上下方向に伸縮調整自在の天井当て部材（３６）が上方突設されていることを特徴とする請求項１〜４のいずれかに記載のペット用遊戯装置。
【発明の詳細な説明】
【技術分野】
【０００１】
本発明は、猫等のペット用遊戯装置に関するものである。
【背景技術】
【０００２】
従来の猫等のペット用遊戯装置には、収納家具の前壁に、複数の棚部材を蝶番により前方突出状に取り付けたものがある（例えば特許文献１）。
また、従来のペット用遊戯装置には、設置板にポールを立設し、一対のポール間に複数の棚部材を階段状に取り付けるようにしたものがある（例えば特許文献２）。
【先行技術文献】
【特許文献】
【０００３】
【特許文献１】実用新案登録第３１４３９８１号公報
【特許文献２】特開２００２−３１５４６５号公報
【発明の概要】
【発明が解決しようとする課題】
【０００４】
しかし、前者では、収納家具の前壁に棚部材が前方突出状に取り付けられているため、ペット用遊戯装置を部屋に設置する場合、部屋の壁に近接して棚部材を配置することがでず、ペット用遊戯装置の設置に大きな設置スペースが必要とされ、ペット用遊戯装置の設置によって部屋の居住空間が大きく狭められるという問題があった。
また、後者では、部屋の壁に棚部材を近接して配置することができるが、棚部材が増える毎に、部屋の壁に沿ってペット用遊戯装置の幅が広がり、この点からペット用遊戯装置の設置に大きな設置スペースが必要とされ、ペット用遊戯装置の設置によって部屋の居住空間が大きく狭められるという問題があった。
【０００５】
本発明は上記問題点に鑑みて、棚部材を部屋の壁に極力近接して配置でき得ると同時に、上下方向に複数段に亘って棚部材を配置できて、ペット用遊戯装置の設置スペースが極力小さくなるようにしたものである。
【課題を解決するための手段】
【０００６】
この技術的課題を解決する本発明の技術的手段は、左右一対の前後脚体を有する設置枠と、設置枠の後部に立設された起立枠とを備え、起立枠は、左右に離間した複数の支柱を有し、起立枠に棚部材が前方突出するように取り付けられたペット用遊戯装置であって、
棚部材に隣合う支柱を挟持する挟持機構が設けられ、挟持機構が隣合う支柱を挟持することによって、棚部材は隣合う支柱間から前方突出するように支持され、棚部材の後部に、少なくとも隣合う支柱間に突出する後棚部が形成されている点にある。
また、本発明の他の技術的手段は、前記設置枠の前後脚体の後部は、起立枠の複数の支柱よりも後方に突出され、棚部材の後棚部は隣合う支柱間から後方に突出されて、棚部材の支柱後端からの後方突出長さが、左右一対の前後脚体の支柱後端からの後方突出長さと略同一になるように設定されている点にある。
【０００７】
また、本発明の他の技術的手段は、前記挟持機構は、隣合う支柱を前後に挟持する前挟持体と後挟持体と備えると共に、前挟持体に対して後挟持体を締め付け固定する締結具を備え、
棚部材の下面に前挟持体が固着され、前挟持体と後挟持体との左右両端部で隣合う支柱を前後に挟持するように、後挟持体が前挟持体に対して締結具により締め付けられている点にある。
また、本発明の他の技術的手段は、前記起立枠は、複数段の起立枠構成部材を上下に連結してなり、各起立枠構成部材は、前記起立枠の複数の支柱を構成する、複数の支柱構成体と、複数の支柱構成体の上端部間を連結する上連結体と、複数の支柱構成体の下端部間を連結する下連結体とを有し、複数の支柱構成体の中途部間に横連結杆が連結されている点にある。
【０００８】
また、本発明の他の技術的手段は、前記起立枠の上端部の左右両側に、上下方向に伸縮調整自在の天井当て部材が上方突設されている点にある。
【発明の効果】
【０００９】
本発明によれば、設置枠の後部に立設された起立枠の有する隣合う支柱を前後に挟持する挟持機構が棚部材に設けられ、挟持機構が隣合う支柱を挟持することによって、棚部材は隣合う支柱間から前方突出するように支持され、棚部材の後部に、少なくとも隣合う支柱間に突出する後棚部が形成されているので、部屋にペット用遊戯装置を設置する際に、棚部材を部屋の壁に近づけて配置することができ、しかも、棚部材を上下に亘って配置することが可能になり、棚部材の枚数の割に小さな設置スペースで済み、ペット用遊戯装置の設置スペースが極力小さくなり、ペット用遊戯装置の設置によって部屋の居住空間が大きく狭められるのを防止できる。
【図面の簡単な説明】
【００１０】
【図１】本発明の一実施形態を示すペット用遊戯装置の斜視図である。
【図２】同ペット用遊戯装置の側面図であるである。
【図３】同ペット用遊戯装置の分解斜視図である。
【図４】同棚部材の底面断面図である。
【図５】同棚部材の側面断面図である。
【図６】同棚部材の底面図である。
【図７】同ペット用遊戯装置上端部の分解斜視図である。
【図８】同ペット用遊戯装置下端部の斜視図である。
【図９】他の実施形態を示す棚部材の斜視図である。
【図１０】同棚部部分の側面断面図である。
【図１１】他の実施形態を示す棚部材部分の側面断面図である。
【図１２】他の実施形態を示す棚部材部分の側面断面図である。
【図１３】同棚部部分の平面断面図である。
【発明を実施するための形態】
【００１１】
以下、本発明の実施の形態を図面を参照して説明する。
図１及び図２において、猫等のペット用遊戯装置１は、左右一対の前後脚体２を有する設置枠３と、設置枠３の後部に立設された起立枠４とを備える。
設置枠３は、左右一対の前後脚体２と、前後脚体２の前端部間を連結する前連結杆６と、前後脚体２の後端部間を連結する後連結杆７とを有する。左右一対の前後脚体２の前後両端部の下面側に、底ねじ８が下方に出退調整自在に螺合されており、設置枠３は底ねじ８を介して部屋の床等に設置されるように構成されている。
【００１２】
起立枠４は、左右に離間した複数（３本）の支柱１１を有すると共に、複数の支柱１１間に連結された複数の横連結杆１２を有し、起立枠４に複数の棚部材１３が前方突出するように取り付けられている。
図３に示すように、起立枠４は、複数段（図例では３段）の起立枠構成部材１５を上下に連結してなり、各起立枠構成部材１５は、前記起立枠４の複数の支柱１１を構成する、複数の支柱構成体１６と、複数の支柱構成体１６の上端部間を連結する上連結体１７と、複数の支柱構成体１６の下端部間を連結する下連結体１８とを有し、複数の支柱構成体１６の中途部間に前記起立枠４の横連結杆１２が連結されている。
【００１３】
下段の起立枠構成部材１５の左右両側の支柱構成体１６の上端部と、中段の起立枠構成部材１５の左右両側の支柱構成体１６の下端部とに跨って木だぼ２１が嵌合されると共に、下段の起立枠構成部材１５の上連結体１７と中段の起立枠構成部材１５の下連結体１８とが六角ねじ等の締結具２２で締め付け固定されている。また、下段の起立枠構成部材１５の左右両側の支柱構成体１６の上端部外側面と、中段の起立枠構成部材１５の左右両側の支柱構成体１６の下端部外側面とに跨って図１に示す如くプレート２３が配置されると共に、プレート２３がねじ等の複数の締結具２４によりに両外側面に締め付け固定されている。これにより下段の起立枠構成部材１５と中段の起立枠構成部材１５とが連結固定されている。
【００１４】
中段の起立枠構成部材１５の左右両側の支柱構成体１６の上端部と、上段の起立枠構成部材１５の左右両側の支柱構成体１６の下端部に跨って木だぼ２１が嵌合されると共に、中段の起立枠構成部材１５の上連結体１７と上段の起立枠構成部材１５の下連結体１８とが六角ねじ等の締結具２２で締め付け固定されている。また、中段の起立枠構成部材１５の左右両側の支柱構成体１６の上端部外側面と、上段の起立枠構成部材１５の左右両側の支柱構成体１６の下端部外側面とに跨って図１に示す如くプレート２３が配置されると共に、プレート２３がねじ等の複数の締結具２４によりに両外側面に締め付け固定されている。これにより中段の起立枠構成部材１５と上段の起立枠構成部材１５とが連結固定されている。
【００１５】
下段の起立枠構成部材１５は、左右両側の支柱構成体１６の下端部が、前後脚体２の後部に形成した嵌合凹部２６に嵌合されて、六角ねじ等の締結具２７により前後脚体２に締め付け固定されている。また、図８に示すように、左右一対の前後脚体２の後部と、左右両側の支柱構成体１６の下端部との間にＬ字状の補強片２９が六角ねじ等の締結具により締め付け固定されている。これにより、前後脚体２の前後方向の後部側の中途部に起立枠４が立設されており、設置枠３の前後脚体２の後部は、起立枠４の複数の支柱１１よりも後方に突出されている。
【００１６】
図４〜図６において、棚部材１３は、木板により構成した棚板２８にその上面及び外周面を起毛布等の布材２５で被覆してなり、布材２５の外周部は棚板２８の裏面側に折り返されて、ステープラ等により固着されている。棚部材１３の左右幅は隣り合う支柱１１間の離間幅よりも大に形成され、棚部材１３の後部の左右両側に切り欠き凹部３０が設けられ、これにより棚部材１３の後部の左右幅が隣り合う支柱１１間の離間幅と略同一に形成されて、棚部材１３の後部が隣り合う支柱１１間に挿入可能に構成されている。
各棚部材１３に隣合う支柱１１を挟持する挟持機構３１が設けられている。挟持機構３１は、隣合う支柱１１を前後に挟持する前挟持体３２と後挟持体３３と備えると共に、前挟持体３２に対して後挟持体３３を締め付け固定するボルトナット等の締結具３４を備えている。
【００１７】
前挟持体３２の左右幅は棚部材１３の後部の左右幅よりも大に形成され、前挟持体３２の左右両端部に棚部材１３の切り欠き凹部３０に対応して切り欠き凹部３５が形成されており、前挟持体３２は棚部材１３の後部の裏面に切り欠き凹部３０、３５同士を一致させた状態で接着剤等によって固着されている。
後挟持体３３は隣合う支柱１１の離間幅よりも大に形成され、後挟持体３３が前挟持体３２に対して後側から締結具３４により締め付けられ、これにより前挟持体３２と後挟持体３３との左右両端部で隣合う支柱１１を前後に挟持し、隣合う支柱１１を挟持することによって、棚部材１３は隣合う支柱１１間から前方突出するように支持されている。棚部材１３の後部は隣合う支柱１１間に挿入されおり、棚部材１３の後部に隣合う支柱１１間に後方突出する後棚部１３ａが形成されている。
【００１８】
前記設置枠３の前後脚体２の後部は、起立枠４の複数の支柱１１よりも後方に突出され、棚部材１３の後棚部１３ａは隣合う支柱１１間から後方に突出されて、図２に示すように、棚部材１３の支柱１１後端からの後方突出長さＬ１が、左右一対の前後脚体２の支柱１１後端からの後方突出長さＬ２と略同一になるように設定されている。
前記起立枠４の上端部の左右両側に、上下方向に伸縮調整自在の天井当て部材３６が上方突設されている。図１、図２及び図７に示すように、天井当て部材３６は、棒ねじ３７と棒ねじ３７に螺合された一対のナット３８と天井当て３９とを備える。棒ねじ３７は起立枠４の左右両側の支柱１１の上端部に、該支柱１１に埋め込まれたねじ筒４０を介して、棒ねじ３７が上方突出状に螺合されている。天井当て３９は棒ねじ３７と連れ回って天井を摩耗することがないように、棒ねじ３７の上端に載せられている。従って、ペット用遊戯装置１を部屋の壁に沿って設置した後に、棒ねじ３７を回動操作して天井当て部材３６を伸長させて、天井当て３９を部屋の天井に押圧接当させることにより、ペット用遊戯装置１を底ねじ８と天井当て部材３６とを介して部屋の床と天井とに突っ張ってペット用遊戯装置１を転倒防止できるようになっている。
【００１９】
前記実施の形態によれば、ペット用遊戯装置１を設置する場合、下段の起立枠構成部材１５と中段の起立枠構成部材１５とを連結固定し、中段の起立枠構成部材１５と上段の起立枠構成部材１５とを連結固定し、下段の起立枠構成部材１５を前後脚体２に固定し、これにより、一対の前後脚体２の後部側に起立枠４が立設した状態にペット用遊戯装置１を組み立てて、ペット用遊戯装置１を部屋の床等に部屋の壁に沿うように設置する。この際、設置枠３の前後脚体２の後端が部屋の壁に近接乃至接当するようにペット用遊戯装置１を設置すれば、起立枠４に取り付けた複数の棚部材１３の後端が部屋の壁に近接又は接当状態に配置される。その後、棒ねじ３７を回動操作して天井当て部材３６を伸長させ、天井当て３９を部屋の天井に押圧接当させることにより、複数の底ねじ８と天井当て部材３６とを介して部屋の床と天井との間に突っ張ってペット用遊戯装置１を部屋に固定でき、ペット用遊戯装置１の転倒を防止できる。
【００２０】
そして、部屋にペット用遊戯装置１を設置する際に、一対の前後脚体２を部屋の壁に近づけて設置することによって、棚部材１３を部屋の壁に近接させて配置することができ、しかも、棚部材１３を隣り合う支柱１１間に上下方向に間隔をおいて複数個取り付けることができて、棚部材１３を上下に亘って複数段配置することが可能になり、ペット用遊戯装置１は棚部材１３の数の割に小さな設置スペースで済み、ペット用遊戯装置１の設置スペースが極力小さくなり、ペット用遊戯装置１の設置によって部屋の居住空間が大きく狭められるのを防止できる。
【００２１】
また、前記実施の形態の場合、棚部材１３の後棚部１３ａは隣合う支柱１１間から後方に突出されて、棚部材１３の支柱１１後端からの後方突出長さＬ１が、左右一対の前後脚体２の支柱１１後端からの後方突出長さＬ２と略同一になるように設定されているので、棚部材１３の後部が隣合う支柱１１よりも大きく後方突出し、複数の支柱１１よりもさらに後方側を猫等のペットが登り降りするための棚部材１３の一部として有効に利用でき、ペット用遊戯装置の設置スペースを最大限有効に利用することができる。
また、前記実施形態の場合、Ｌ字状の六角レンチ等の工具を使用して締結具３４を緩めることによって、棚部材１３を隣合う支柱１１間で上下移動させることができて、Ｌ字状の六角レンチ等の工具を使用して締結具３４を緩めて締め直すことにより、棚部材１３を隣合う支柱１１間で上下方向に簡単かつ任意に移動調整することができる。しかも、棚部材１３の後端を部屋の壁に近接乃至接当するようにペット用遊戯装置１の設置していても、部屋の壁と挟持機構３１の後挟持体３３との間に、図５に示すように六角レンチ等の工具を挿入するための十分な隙間Ａが形成されるため、設置したペット用遊戯装置１を動かすことなく、工具を使用して締結具３４を締め直すことができ、猫等のペットの大きさやペット用遊戯装置１を設置する部屋の大きさに合わせて、棚部材１３の上下方向の離間幅等を容易に調整することができ、便利である。
【００２２】
図９及び図１０は他の実施形態を示し、棚部材１３の後方に挟持板４３を設け、挟持板４３を六角ボルト等の締結具３４で棚部材１３の後部に締め付け、棚部材１３の後部と挟持板４３との左右両端部で隣合う支柱１１を挟持するようにし、挟持機構３１を棚部材１３の後部と挟持板４３と締結具３４とで構成している。また、棚部材１３の後部を隣合う支柱１１の後端近傍まで後方突出しており、棚部材１３の後部に隣合う支柱１１間に突出する後棚部１３ａが形成されている。その他の点は前記図１〜図８の実施形態の場合と同様の構成である。なお、六角ボルト等の締結具３４は棚部材１３の後部の左右両側に埋め込んだねじ筒４４を介して棚部材１３の後部に螺合されている。
【００２３】
この実施形態の場合、前記図１〜図９の実施形態の場合と同様に、棚部材１３を部屋の壁に近づけて配置することができ、しかも、棚部材１３を上下に亘って配置することが可能になり、ペット用遊戯装置１の設置スペースが小さくなり、ペット用遊戯装置１の設置によって部屋の居住空間が大きく狭められるのを防止できる。
また、この実施形態の場合、設置枠３の前後脚体２の後部を、起立枠４の複数の支柱１１よりも後方に突出させずに、前後脚体２の後端を、起立枠４の複数の支柱１１の後端と同一の前後位置になるように設定しておけば、部屋にペット用遊戯装置１を設置する際に、前後脚体２を部屋の壁に近づけて設置することによって、棚部材１３を部屋の壁に近接乃至接当させて配置することができ、ペット用遊戯装置の設置スペースを最大限有効に利用することができる。また、前記図１〜図８の実施形態の場合と同様に、設置枠３の前後脚体２の後部を、起立枠４の複数の支柱１１よりも後方に突出させている場合でも、棚部材１３の後部を隣合う支柱１１後端よりも後方には突出していないものの、棚部材１３の後部に隣合う支柱１１間に後方突出する後棚部１３ａが形成されているため、隣合う支柱１１の後端近傍までを、猫等のペットが登り降りするための棚部材１３の一部として有効に利用でき、ペット用遊戯装置１の設置スペースを有効に利用することができる。
【００２４】
また、この実施の形態の場合、前記図１〜図９の実施形態の場合と同様に、棚部材１３を隣合う支柱１１間で上下方向に簡単に移動調整することができるため、猫等のペットの大きさやペット用遊戯装置１を設置する部屋の大きさに合わせて、棚部材１３の上下方向の離間幅等を調整することができ、便利である。
図１１は他の実施形態を示し、前記図９及び図１０の実施の形態の場合と同様に、棚部材１３の後方に挟持板４３を設け、挟持板４３を六角ボルト等の締結具で棚部材１３の後部に締め付け、棚部材１３の後部と挟持板４３との左右両端部で隣合う支柱１１を挟持するようにし、挟持機構３１を棚部材１３の後部と挟持板４３と締結具３４とで構成するようにしたものである。そして、隣り合う支柱１１の中途部に挟持板４３が嵌合する嵌合凹部４６を設け、この嵌合凹部４６に挟持板４３を嵌合させることにより、挟持板４３が隣り合う支柱１１から後方突出しないようにしたものである。
【００２５】
この実施形態の場合、前記図１〜図９の実施形態の場合と同様に、棚部材１３を部屋の壁に近づけて配置することができ、しかも、棚部材１３を上下に亘って配置することが可能になり、ペット用遊戯装置１の設置スペースが小さくなり、ペット用遊戯装置１の設置によって部屋の居住空間が大きく狭められるのを防止できる。
また、設置枠３の前後脚体２の後部を、起立枠４の複数の支柱１１よりも後方に突出させずに、前後脚体２の後端を、起立枠４の複数の支柱１１の後端と同一の前後位置になるように設定しておけば、部屋にペット用遊戯装置１を設置する際に、部屋の壁に近づけて設置することによって、棚部材１３を部屋の壁に近接乃至接当させて配置することができ、ペット用遊戯装置の設置スペースを最大限有効に利用することができる。また、前記図１〜図８の実施形態の場合と同様に、設置枠３の前後脚体２の後部を、起立枠４の複数の支柱１１よりも後方に突出させている場合でも、棚部材１３の後部が隣合う支柱１１後端よりも後方には突出していないものの、棚部材１３の後部に隣合う支柱１１間に後方突出する後棚部１３ａが形成されているため、隣合う支柱１１の後端近傍までを、猫等のペットが登り降りするための棚部材１３の一部として有効に利用でき、ペット用遊戯装置の設置スペースを有効に利用することができる。
【００２６】
図１２及び図１３は他の実施形態を示し、棚部材１３の左右幅は隣り合う支柱１１間の離間幅よりも大に形成され、棚部材１３の前後方向中央部の左右両側にコの字状に切り欠いた切り欠き凹部３０が左右一対設けられ、この切り欠き凹部に隣り合う支柱１１が挿通するように棚部材１３が隣合う支柱１１間に配置されており、隣合う支柱１１間に突出する後棚部１３ａが支柱１１から大きく後方突出するように構成され、支柱１１の後方側も広く棚部材としてを有効に利用できるようになっている。その他の点は前記図１〜図９の実施形態の場合と同様の構成であり、棚部材１３の下面に前挟持体３２が固着され、前挟持体３２と後挟持体３３との左右両端部で隣合う支柱１１を前後に挟持するように、後挟持体３３が前挟持体３２に対して締結具３４により締め付けられている。
【００２７】
なお、前記実施の形態では、棚部材１３は、木板により構成した棚板２８にその上面及び外周面を起毛布で被覆されしてなるが、棚部材１３はこのような構成のものに限定されず、例えば、矩形状の枠体に布材を張り付けなるハンモック状のもので構成するようにしてもよい。
また、複数の棚部材１３の一部を、棚部材１３に代えて猫等のペットが出入りすることができるペット用ハウスで構成するようにしてもよい。
【産業上の利用可能性】
【００２８】
猫等のペットを部屋で登り降りして遊ばせるために利用できる。
【符号の説明】
【００２９】
１    ペット用遊戯装置
２    前後脚体
３    設置枠
１１    支柱
１２    横連結杆
１３    棚部材
１３ａ  後棚部
１５    起立枠構成部材
１６    支柱構成体
１７    上連結体
１８    下連結体
３１    挟持機構
３２    前挟持体
３３    後挟持体
３４    締結具
３６    天井当て部材
【図１】
2010166869.tif 000003
【図２】
2010166869.tif 000004
【図３】
2010166869.tif 000005
【図６】
2010166869.tif 000006
【図７】
2010166869.tif 000007
【図８】
2010166869.tif 000008
【図９】
2010166869.tif 000009
【図１０】
2010166869.tif 000010
【図１１】
2010166869.tif 000011
【図１２】
2010166869.tif 000012
【図１３】
2010166869.tif 000013
【図４】
2010166869.tif 000014
【図５】
2010166869.tif 000015